(57)【特許請求の範囲】
【請求項１】
１次側コネクタと２次側コネクタとを有し、両者の間の接続を切り換えることのできる配線切換装置において、１次側コネクタと２次側コネクタ間の１対１での切り換えのためのスイッチを有する第１の切換モジュール部と、１次側コネクタと２次側コネクタ間の１対多での切り換えのためのマルチポートリピータ部と各コネクタと前記第１の切換モジュール部及び前記マルチポートリピータ部との接続を切り換えるスイッチとを有する第２の切換モジュール部と、前記各部を制御する制御する制御部とを有してなることを特徴とする配線切換装置。
【請求項２】
配線切換装置自体の識別番号と、１次側コネクタの番号と、２次側コネクタの番号と、前記第１の切換モジュール部により１次側コネクタの番号と２次側コネクタの番号との１対１の接続を行うかマルチポートリピータ部により１対多の接続を行うかを指定するための属性で構成される制御データを、前記制御部に対して外部から入力するようにし、制御部において、前記制御データに基づいて各部を制御するようにしたことを特徴とする請求項１記載の配線切換装置。
【発明の詳細な説明】
【０００１】
【産業上の利用分野】
本発明は、情報配線システムにおいて使用する配線切換装置に関するものである。
【０００２】
【従来の技術】
一般に、インテリジェントビル内の情報配線システムでは、データ系のホストや端末、ハブ、ブリッジ、ルーター、音声系の電話機等の装置が、例えば、特開平１−１４３１７２号公報に開示されているような配線切換装置等へ配線され、管理されることが多い。このような配線切換装置は、人事移動や部署の変更によるレイアウト変更、またはホスト、端末等の増設、移設に対応し、既に配線の施された箇所を変更することなしに、端末やホストの接続を切り換えるためのものであり、最近では、接続切り換えの作業が自動的に行える機能を備えたものも考えられている。配線切換装置には、１次側と２次側とに各々複数のコネクタが設置されており、これらのコネクタを介して１次側の機器と２次側の機器とが接続されるようになっているのである。
【０００３】
【発明が解決しようとする課題】
ところが、大きなビル等において、大規模なネットワークを構築する場合には、複数の配線切換装置をコネクタを介して多段接続することがある。多段接続される配線切換装置の台数が増加するにしたがって、多段接続のためだけに使用されるコネクタが増加する。特に、配線切換装置をまたがる接続が増加すると、多段接続のためだけに使用されるコネクタは著しく増加する。例えば、図１３に示すように、配線切換装置１ａ、１ｂを２段接続し、配線切換装置１ａの１次側コネクタ１２ａ、１３ａに端末７ａ、７ｂが各々接続され、配線切換装置１ｂの２次側コネクタ１６ｂ、１７ｂにホスト５が接続されているとし、端末７ａ、７ｂとホスト５とが接続されるようにしようとすると、配線切換装置１ａ、１ｂの間には、２本の配線が必要になるとともに、配線切換装置１ａの２次側のコネクタ１６ａ、１７ａと配線切換装置１ｂの１次側のコネクタ１２ｂ、１３ｂの合計４個のコネクタが２段接続のために占有される。さらに多くの配線切換装置が多段接続されると、より多くのコネクタが占有されることになる。このように、配線切換装置が多段接続されると、多段接続のために占有されるコネクタの数が増加し、端末等の機器の接続のために利用できるコネクタの数が減少するという問題があった。
【０００４】
本発明は、上記の点に鑑みてなしたものであり、その目的とするところは、配線切換装置間の接続を行うに際し、コネクタの使用を減少させることのできる配線切換装置を提供することにある。
【０００５】
【課題を解決するための手段】
請求項１記載の発明は、１次側コネクタと２次側コネクタとを有し、両者の間の接続を切り換えることのできる配線切換装置において、１次側コネクタと２次側コネクタ間の１対１での切り換えのためのスイッチを有する第１の切換モジュール部と、１次側コネクタと２次側コネクタ間の１対多での切り換えのためのマルチポートリピータ部と各コネクタと前記第１の切換モジュール部及び前記マルチポートリピータ部との接続を切り換えるスイッチとを有する第２の切換モジュール部と、前記各部を制御する制御する制御部とを有してなることを特徴とするものである。
【０００６】
請求項２記載の発明は、請求項１記載の発明において、配線切換装置自体の識別番号と、１次側コネクタの番号と、２次側コネクタの番号と、前記第１の切換モジュール部により１次側コネクタの番号と２次側コネクタの番号との１対１の接続を行うかマルチポートリピータ部により１対多の接続を行うかを指定するための属性で構成される制御データを、前記制御部に対して外部から入力するようにし、制御部において、前記制御データに基づいて各部を制御するようにしたことを特徴とするものである。
【０００７】
【作用】
請求項１記載の発明にあっては、１次側コネクタと２次側コネクタとを有し、両者の間の接続を切り換えることのできる配線切換装置において、制御部からの制御信号で第１の切換モジュール部のスイッチや第２の切換モジュール部のスイッチを切り換えることにより、１次側コネクタと２次側コネクタの接続に関し、１対１の接続と、１対多の接続とを組み合わせることにより、所望の接続が行えるのである。
【０００８】
請求項２記載の発明にあっては、請求項１記載の発明において、配線切換装置自体の識別番号と、１次側コネクタの番号と、２次側コネクタの番号と、前記第１の切換モジュール部により１次側コネクタの番号と２次側コネクタの番号との１対１の接続を行うかマルチポートリピータ部により１対多の接続を行うかを指定するための属性で構成される制御データを、外部の端末から入力し、制御部において、この制御データに基づいて各部を制御することにより、所望の接続が行えるのである。
【０００９】
【実施例】
以下、本発明の一実施例を図面に基づき説明する。図１は、本発明に係る配線切換装置の一実施例を示す概略構成図である。１は配線切換装置であり、その筐体部に設置された１次側コネクタ１１〜１４、２次側コネクタ１５〜１８及びコネクタ１９と、切換モジュール部２、切換モジュール部３及び制御部４を有してなる。切換モジュール部２は、１次側コネクタ１１〜１４と２次側コネクタ１５〜１８間の１対１の接続切り換えを行うものである。切換モジュール部２は、例えば、図２に示すように、１次側コネクタ１１〜１４と２次側コネクタ１５〜１８の各々に接続される接続線２１〜２４、２５〜２８に対応して設けられたスイッチ２０１〜２１６を有してなるスイッチボックス２００からなり、制御部４からの制御信号４１により、各スイッチ２０１〜２１６のオン、オフが制御され、接続線２１〜２４、２５〜２８間の１対１の接続が切り換えられるのである。つまり、例えば、スイッチ２０１をオンすれば接続線２１と接続線２５とが接続され、スイッチ２０２をオンすれば接続線２１と接続線２６とが接続され、スイッチ２０５をオンすれば接続線２２と接続線２５とが接続されるというようになっているのである。切換モジュール部３は、図３に示すように、スイッチボックス３００とマルチポートリピータ４００とからなる。スイッチボックス３００はスイッチ３０１〜３０８からなり、各スイッチ３０１〜３０８は、例えば、ロータリースイッチ等により構成される。スイッチ３０１〜３０４は、１次側コネクタ１１〜１４への接続線３１〜３４を切換モジュール部２への接続線２１〜２４に接続させるかマルチポートリピータ４００への接続線３０９〜３１２に接続させるかあるいはどちらにも接続しないかの切り換えを行う。スイッチ３０５〜３０８は、２次側コネクタ１５〜１８への接続線３５〜３８を切り換えモジュール部２への接続線２５〜２８に接続させるかマルチポートリピータ４００への接続線３１３〜３１６に接続させるかあるいはどちらにも接続しないかの切り換えを行う。これらの切り換えは、制御線４２を介して入力される制御部４からの制御信号により行われる。マルチポートリピータ４００は接続線３０９か〜３１６を介して入力される信号を他の全ての接続線３０９〜３１６に出力するものである。
【００１０】
制御部４は、制御線４１、４２を介して切換モジュール部２、スイッチボックス３００に対して制御信号を送出するものであり、この制御信号はコネクタ１９を介して端末から入力される制御データに基づいて出力されるのである。この制御データは、配線切換装置１の各コネクタに接続されるＰＢＸ、ハブ、ブリッジ、ルーター、ゲートウェイ、ホスト、電話機、パソコン、端末、等の機器間の接続データ及び他の配線切換装置１との接続データにより構成されるものであり、ＳＮＭＰ（Ｓｉｍｐｌｅ  Ｎｅｔｗｏｒｋ  Ｍａｎａｇｅｍｅｎｔ  Ｐｒｏｔｏｃｏｌ）メッセージとして端末から送信される。そして、この制御データは、配線切換装置ＩＤ、１次側コネクタ番号、２次側コネクタ番号、属性という４つのフィールドからなる。配線切換装置ＩＤは、１台の端末から複数の配線切換装置を制御する際に配線切換装置を特定するための識別番号を指定するためのものである。１次側コネクタ番号及び２次側コネクタ番号は、配線切換装置ＩＤで指定された配線切換装置で接続するコネクタ番号を指定するためのものである。属性は、切換モジュール部２により１次側コネクタと２次側コネクタ間の１対１の接続を行うか、マルチポートリピータ４００により１対多の接続を行うかを指定するためのものである。本実施例では、属性が「１」のときは前者の接続を示し、属性が「０」のときは後者の接続を示すものとする。
【００１１】
次に、本実施例の動作を説明する。今、図４に示すような情報配線システムを構築する場合を考える。つまり、３台の配線切換装置１ａ〜１ｃを用いて、ホスト５、ルーター６、端末７ａ〜７ｆ間の接続を行うというものである。１１ａ、１２ａは配線切換装置１ａの１次側コネクタであり、１５ａ〜１７ａは配線切換装置１ａの２次側コネクタである。１１ｂ、１２ｂは配線切換装置１ｂの１次側コネクタであり、１５ｂは配線切換装置１ｂの２次側コネクタである。１１ｃ〜１４ｃは配線切換装置１ｃの１次側コネクタであり、１５ｃ〜１８ｃは配線切換装置１ｃの２次側コネクタである。ここで、配線切換装置１ａ〜１ｃの識別番号を各々０００１、０００２、０００３とし、配線切換装置１ａの１次側コネクタ１１ａ、１２ａのコネクタ番号をＩ、Ｊとし、２次側コネクタ１５ａ〜１７ａのコネクタ番号をＡ〜Ｃとし、配線切換装置１ｂの１次側コネクタ１１ｂ、１２ｂのコネクタ番号をＫ、Ｌとし、２次側コネクタ１５ｂのコネクタ番号をＤとし、配線切換装置１ｃの１次側コネクタ１１ｃ〜１４ｃのコネクタ番号をＭ〜Ｐとし、２次側コネクタ１５ｃ〜１８ｃのコネクタ番号をＥ〜Ｈとする。まず、端末（図示せず）から配線切換装置１ａに対して、制御データ（０００１、Ｉ、Ａ、１）、（０００１、Ｊ、Ｂ、０）、（０００１、Ｊ、Ｃ、０）を有するＳＮＭＰメッセージが送信される。ここで、制御データ（０００１、Ｉ、Ａ、１）は、配線切換装置１ａにおいて、１次側のコネクタ１１ａと２次側のコネクタ１５ａとを１対１で接続するということを意味し、制御データ（０００１、Ｊ、Ｂ、０）は、配線切換装置１ａにおいて、１次側のコネクタ１２ａと２次側のコネクタ１６ａとをマルチポートリピータ４００を介して接続するということを意味し、制御データ（０００１、Ｊ、Ｃ、０）は、配線切換装置１ａにおいて、１次側のコネクタ１２ａと２次側のコネクタ１７ａとをマルチポートリピータ４００を介して接続するということを意味しているのである。コネクタ１９を介して前記制御データを受信した配線切換装置１ａでは、制御部４から各部に制御信号を送り、スイッチの切り換えを行う。つまり、スイッチボックス３００のスイッチ３０１で接続線３１と接続線２１とを接続させ、スイッチ３０５で接続線２５と接続線３５とを接続させ、さらに、切換モジュール部２内のスイッチボックス２００のスイッチ２０１で接続線２１と接続線２５とを接続させることにより、コネクタ１１ａとコネクタ１５ａとの接続がなされる。また、スイッチボックス３００のスイッチ３０２で接続線３２と接続線３１０とを接続させることにより、コネクタ１２ａをマルチポートリピータ４００に接続させる。スイッチ３０６で接続線３６と接続線３１４とを接続させることにより、コネクタ１６ａをマルチポートリピータ４００に接続させる。スイッチ３０７で接続線３７を接続線３１５に接続させることにより、コネクタ１７ａをマルチポートリピータ４００に接続させる。このようにして、コネクタ１６ａとコネクタ１７ａとがマルチポートリピータ４００を介してコネクタ１２ａに接続されることになる。従って、配線切換装置１ａ〜１ｃにより図４に示した情報配線システムが構築できるのである。
【００１２】
ここで、制御部４での動作についてさらに詳細に説明する。制御部４では、図５の対応表に示されたような関係を有する制御データ（０００１、Ｉ、Ａ、１）、（０００１、Ｊ、Ｂ、０）、（０００１、Ｊ、Ｃ、０）を受信すると、図６に示すように、予め保有しているコネクタ番号とスイッチボックス３００のスイッチ番号との対応を示す対応表により、図７に示すように、１次側コネクタに接続されるスイッチ番号と２次側コネクタに接続されるスイッチとの対応関係及び属性を示す対応表を作成し、この対応表を用いて、切換モジュール３のスイッチボックス３００に対してスイッチ３０１〜３０３及びスイッチ３０５〜３０７を制御するための制御信号を送る。また、図８に示すように、予め保有しているスイッチボックス３００のスイッチ番号と、切換モジュール部３と切換モジュール部２間の接続線番号との対応表により、図９に示すように、切換モジュール部３と切換モジュール部２間の接続線番号とその属性の対応表を作成する。図１０に示すように、予め保有している１次側の切換モジュール部３と切換モジュール部２間の接続線番号と２次側の切換モジュール部３と切換モジュール部２間の接続線番号及びスイッチボックス２００のスイッチ番号間の対応表により、図１１に示すように、スイッチボックス２００のスイッチ番号と属性との対応表を作成する。この図１１の対応表に基づいて、属性が「１」になっているスイッチ番号２０１をオンし、属性が「０」となっている他のスイッチはオフとするような制御信号が切換モジュール部２に対して送られる。なお、制御部４及び制御部４により制御される各部の動作の流れを図１２のフローチャートに示している。
【００１３】
端末（図示せず）から配線切換装置１ｂに対しては、制御データ（０００２、Ｋ、Ｄ、０）、（０００２、Ｌ、Ｄ、０）を有するＳＮＭＰメッセージが送信される。配線切換装置１ｂにおいても、図１２のフローチャートに示した流れに沿って処理が行われる。つまり、コネクタ１９を介して前記制御データを受信した配線切換装置１ｂでは、制御部４から各部に制御信号を送り、スイッチボックス３００のスイッチ３０１により接続線３１と接続線３０９とを接続させ、スイッチ３０２により接続線３２と接続線３１０とを接続させ、スイッチ３０５により接続線３５と接続線３１３とを接続させる。ここで、スイッチボックス３００の他のスイッチはどの接続線間も接続しない状態に保ようにしておく。接続線３０９、３１０、３１３はマルチポートリピータ４００により相互に接続されるので、コネクタ１５ｂとコネクタ１１ｂとコネクタ１２ｂとが互いに接続されることになる。
【００１４】
端末（図示せず）から配線切換装置１ｃに対しては、制御データ（０００３、Ｍ、Ｅ、１）、（０００３、Ｎ、Ｆ、１）、（０００３、Ｏ、Ｇ、１）、（０００３、Ｐ、Ｈ、１）を有するＳＮＭＰメッセージが送信される。配線切換装置１ｃにおいても、図１２のフローチャートに示した流れに沿って処理が行われる。つまり、コネクタ１９を介して前記制御データを受信した配線切換装置１ｃでは、制御部４から各部に制御信号を送り、スイッチボックス３００のスイッチ３０１により接続線３１と接続線２１とを接続させ、スイッチ３０２により接続線３２と接続線２２とを接続させ、スイッチ３０３により接続線３３と接続線２３とを接続させ、スイッチ３０４により接続線３４と接続線２４とを接続させ、スイッチ３０５により接続線３５と接続線２５とを接続させ、スイッチ３０６により接続線３６と接続線２６とを接続させ、スイッチ３０７により接続線３７と接続線２７とを接続させ、スイッチ３０８により接続線３８と接続線２８とを接続させる。また、切換モジュール部２内のスイッチボックス２００のスイッチ２０１により接続線２１と接続線２５とを接続させ、スイッチ２０６により接続線２２と接続線２６とを接続させ、スイッチ２１１により接続線２３と接続線２７とを接続させ、スイッチ２１６により接続線２４と接続線２８とを接続させる。従って、コネクタ１１ｃとコネクタ１５ｃが接続され、コネクタ１２ｃとコネクタ１６ｃとが接続され、コネクタ１３ｃとコネクタ１７ｃが接続され、コネクタ１４ｃとコネクタ１８ｃとが接続されることになりる。
【００１５】
このように、本実施例によれば、図４に示すような配線システムを構築するに際し、３台の配線切換装置１ａ〜１ｃ間の接続のために使用するコネクタは、配線切換装置１ａ〜１ｃの各々１台当たり１個で済むようになるのである。
【００１６】
なお、各コネクタとしては、例えばＲＪ４５を用いてもよいし、コネクティングブロック等の他のタイプのものでもよい。配線切換装置１ａ〜１ｃのコネクタの数も本実施例の数に限定されるものではない。また、配線切換装置１ａ〜１ｃの台数も３台に限定されるものではなく、可能な限りにおいて任意の台数を使用してもよい。
【００１７】
また、本実施例では、制御データはコネクタ１９を介して入力させるようにしているが、１次側コネクタ１１〜１４、２次側コネクタ１５〜１８と切換モジュール部３との間に、例えば、制御データを識別して制御部４に送る機能を有する多重受信部（図示せず）を設ければ、コネクタ１９を別途設けることなく、１次側コネクタ１１〜１４、２次側コネクタ１５〜１８を介して制御データを入力することが可能となり、コネクタの数を減らすことができるのである。
【００１８】
【発明の効果】
以上のように、請求項１記載の発明によれば、１次側コネクタと２次側コネクタとを有し、両者の間の接続を切り換えることのできる配線切換装置において、制御部からの制御信号で第１の切換モジュール部のスイッチや第２の切換モジュール部のスイッチを切り換えることにより、１次側コネクタと２次側コネクタの接続に関し、１対１の接続と、１対多の接続とを組み合わせることにより、所望の接続を行うようにしたので、配線切換装置間の接続を行うに際し、コネクタの使用を減少させることのできる配線切換装置が提供できた。
【００１９】
請求項２記載の発明によれば、請求項１記載の発明において、配線切換装置自体の識別番号と、１次側コネクタの番号と、２次側コネクタの番号と、前記第１の切換モジュール部により１次側コネクタの番号と２次側コネクタの番号との１対１の接続を行うかマルチポートリピータ部により１対多の接続を行うかを指定するための属性で構成される制御データを、外部の端末から入力し、制御部において、この制御データに基づいて各部を制御するようにしたので、外部の端末から制御データを入力すれば、所望の接続が行えるようになるのである。
【図面の簡単な説明】
【図１】本発明の一実施例に係る配線切換装置の概略構成図である。
【図２】同上に係る切換モジュール部２の概略構成図である。
【図３】図１の配線切換装置に係る切換モジュール部３の概略構成図である。
【図４】図１の配線切換装置を３台用いた場合におけるシステム構成図である。
【図５】同上のシステムを構成するための対応図表である。
【図６】図４のシステムを構成するための対応図表である。
【図７】図４のシステムを構成するための対応図表である。
【図８】図４のシステムを構成するための対応図表である。
【図９】図４のシステムを構成するための対応図表である。
【図１０】図４のシステムを構成するための対応図表である。
【図１１】図４のシステムを構成するための対応図表である。
【図１２】図４のシステムに係る配線切換装置の動作を示すフローチャートである。
【図１３】従来の配線切換装置を用いたシステム構成図である。
【符号の説明】
１、１ａ〜１ｃ  配線切換装置
２  切換モジュール部
３  切換モジュール部
４  制御部
１１〜１９  コネクタ
２１〜２８  接続線
３１〜３８  接続線
４１、４２  制御線
２００  スイッチボックス
２０１〜２１６  スイッチ
３００  スイッチボックス
３０１〜３０８  スイッチ
４００  マルチポートリピータ
【図１】
0003677810.tif 000002
【図２】
0003677810.tif 000003
【図３】
0003677810.tif 000004
【図４】
0003677810.tif 000005
【図５】
0003677810.tif 000006
【図６】
0003677810.tif 000007
【図７】
0003677810.tif 000008
【図８】
0003677810.tif 000009
【図９】
0003677810.tif 000010
【図１０】
0003677810.tif 000011
【図１１】
0003677810.tif 000012
【図１２】
0003677810.tif 000013
【図１３】
0003677810.tif 000014